(57)【要約】【課題】遺体の口腔内に容易に装着でき、遺体の容貌を保持でき、火葬後に残留物や有毒ガスの発生が無い、口腔内装着具を提供する。【解決手段】パルプモールド製の上装着体１と下装着体２から成る口腔内装着具。上装着体１は、上歯列４１及び上歯肉５１の外面を覆い得る上縦板部１１と、上縦板部１１の下端から内方へ延設された上横板部１５とを有する。下装着体２は、下歯列４２及び下歯肉５２の外面を覆い得る下縦板部２１と、下縦板部２１の上端から内方へ延設された下横板部２５とを有する。上横板部１５は、筋状の上凹部１５４ａと筋状の上凸部１５４ｂを有し、下横板部２５は、筋状の下凹部２５４ｂと筋状の下凸部２５４ｃを有する。上装着体１と下装着体２は、上凹部１５４ａと非前歯上端面部位２５１ｂが当接されるとともに上凸部１５４ｂと下凹部２５４ｂが当接されることにより幅方向で位置決めされる。【選択図】図１
2011056109.tif 000002
【特許請求の範囲】
【請求項１】
パルプモールド製の上装着体と下装着体から成り、遺体の口腔内に装着して容貌を整える口腔内装着具であって、
前記上装着体は、装着状態で上歯列及びその根元の上歯肉の外面を覆い得るように前部から両奥部へ向けて湾曲形成された上縦板部と、該上縦板部の下端から上歯列の下端面に沿う下端面部位を経て硬口蓋に沿う硬口蓋部位に至るように曲面形状を成して内方へ延設された上横板部とを有し、
前記下装着体は、装着状態で下歯列及びその根元の下歯肉の外面を覆い得るように前部から両奥部へ向けて湾曲形成された下縦板部と、該下縦板部の上端から下歯列の上端面に沿う上端面部位を経て舌の下面に沿う舌下面部位に至るように曲面形状を成して内方へ延設された下横板部とを有し、
前記上横板部は、前記下端面部位の中で非前歯の下端面に沿う部位である非前歯下端面部位と前記硬口蓋部位との間に、上方へ窪む筋状の上凹部と該筋状の上凹部に沿って形成された下方へ突出する筋状の上凸部を有し、
前記下横板部は、前記上端面部位の中で非前歯の上端面に沿う部位である非前歯上端面部位と前記舌下面部位との間に、下方へ窪む筋状の下凹部と該筋状の下凹部に沿って形成された上方へ突出する筋状の下凸部を有し、
前記上装着体と下装着体は、前記上凹部と前記非前歯上端面部位が当接されるとともに前記上凸部と前記下凹部が当接されることにより幅方向で位置決めされる、
ことを特徴とする口腔内装着具。
【請求項２】
請求項１に於いて、
前記上装着体と下装着体は、前記下縦板部の上端縁が、前記下端面部位の中で前歯の下端面に沿う部位である前歯下端面部位により係止されることにより、前後方向で位置決めされる、
ことを特徴とする口腔内装着具。
【請求項３】
請求項１又は請求項２に於いて、
前記上縦板部の前部外面は上前歯の外面形状に沿う凹凸を有し、
前記下縦板部の前部外面は下前歯の外面形状に沿う凹凸を有する、
ことを特徴とする口腔内装着具。
【発明の詳細な説明】
【技術分野】
【０００１】
本発明は、遺体の口腔内に装着して容貌を整える口腔内装着具に関する。詳しくは、火葬後に残留せず、有毒ガスも生じない口腔内装着具に関する。
【背景技術】
【０００２】
人口歯と義歯床とから成る義歯が提供されている。人口歯は、例えば、陶器等で製造され、義歯床は、例えば、ＭＭＡ（メチルメタクリレート）等の合成樹脂で製造される。また、部分義歯の場合、さらに、義歯床を周辺の歯に掛止するための金属製のバネ（クラスプ）が用いられる。
【０００３】
義歯や部分義歯を遺体とともに火葬すると、合成樹脂製の義歯床が溶けて、骨や火葬炉への焼付きや損傷、ダイオキシン等の有毒ガスの発生、酸素不足による不完全燃焼等の問題が生じ易い。部分義歯では、さらに、クラスプが焼け残る場合がある。
【０００４】
このため、火葬前に義歯や部分義歯を外すのであるが、そうすると、口が落ち窪んで頬がこけ、当人の本来の容貌からかけ離れたものとなり、その結果、弔う者に違和感を与える虞がある。
【０００５】
このような問題を解決する装着具が種々提案もしくは提供されている。例えば、特開２００６−１４９４５８号公報（特許文献１）には、遺体の口が開いた場合でも自然な歯と歯茎が表れるようにした口内挿入具が開示されている。なお、同公報の口内挿入具は、多品種少量生産に向けたものである。
【先行技術文献】
【特許文献】
【０００６】
【特許文献１】特開２００６−１４９４５８号公報
【発明の概要】
【発明が解決しようとする課題】
【０００７】
本発明は、一般的な大きさの遺体であれば、その口腔内に容易に装着でき、装着後から火葬までの間は口が落ち窪むことのないように遺体の容貌を保持でき、火葬後に残留物が無く、また、有毒ガスの発生も無い、口腔内装着具を提供することを目的とする。
【課題を解決するための手段】
【０００８】
本発明の構成を、下記［１］〜［３］に記す。なお、この項（［課題を解決するための手段］）と次項（［発明の効果］）に於いて、符号は理解を容易にするために付したものであり、本発明を符号の構成に限定する趣旨ではない。
［１］構成１
パルプモールド製の上装着体１と下装着体２から成り、遺体の口腔内に装着して容貌を整える口腔内装着具であって、
前記上装着体１は、装着状態で上歯列４１及びその根元の上歯肉５１の外面を覆い得るように前部から両奥部へ向けて湾曲形成された上縦板部１１と、該上縦板部１１の下端から上歯列４１の下端面に沿う下端面部位１５１を経て硬口蓋３ａに沿う硬口蓋部位１５３に至るように曲面形状を成して内方へ延設された上横板部１５とを有し、
前記下装着体２は、装着状態で下歯列４２及びその根元の下歯肉５２の外面を覆い得るように前部から両奥部へ向けて湾曲形成された下縦板部２１と、該下縦板部２１の上端から下歯列４２の上端面に沿う上端面部位２５１を経て舌６の下面に沿う舌下面部位２５６に至るように曲面形状を成して内方へ延設された下横板部２５とを有し、
前記上横板部１５は、前記下端面部位１５１の中で非前歯の下端面に沿う部位である非前歯下端面部位１５１ｂと前記硬口蓋部位１５３との間に、上方へ窪む筋状の上凹部１５４ａと該筋状の上凹部１５４ａに沿って形成された下方へ突出する筋状の上凸部１５４ｂを有し、
前記下横板部２５は、前記上端面部位２５１の中で非前歯の上端面に沿う部位である非前歯上端面部位２５１ｂと前記舌下面部位２５６との間に、下方へ窪む筋状の下凹部２５４ｂと該筋状の下凹部２５４ｂに沿って形成された上方へ突出する筋状の下凸部２５４ｃを有し、
前記上装着体１と下装着体２は、前記上凹部１５４ａと前記非前歯上端面部位２５１ｂが当接されるとともに前記上凸部１５４ｂと前記下凹部２５４ｂが当接されることにより幅方向で位置決めされる、
ことを特徴とする口腔内装着具。
【０００９】
［２］構成２
構成１に於いて、
前記上装着体１と下装着体２は、前記下縦板部２１の上端縁２１０が、前記下端面部位１５１の中で前歯の下端面に沿う部位である前歯下端面部位１５１ａにより係止されることにより、前後方向で位置決めされる、
ことを特徴とする口腔内装着具。
【００１０】
［３］構成３
構成１又は２に於いて、
前記上縦板部１１の前部外面は上前歯の外面形状に沿う凹凸を有し、
前記下縦板部２１の前部外面は下前歯の外面形状に沿う凹凸を有する、
ことを特徴とする口腔内装着具。
【発明の効果】
【００１１】
構成１は、パルプモールド製の上装着体１と下装着体２から成り、遺体の口腔内に装着して容貌を整える口腔内装着具であって、前記上装着体１は、装着状態で上歯列４１及びその根元の上歯肉５１の外面を覆い得るように前部から両奥部へ向けて湾曲形成された上縦板部１１と、該上縦板部１１の下端から上歯列４１の下端面に沿う下端面部位１５１を経て硬口蓋３ａに沿う硬口蓋部位１５３に至るように曲面形状を成して内方へ延設された上横板部１５とを有し、前記下装着体２は、装着状態で下歯列４２及びその根元の下歯肉５２の外面を覆い得るように前部から両奥部へ向けて湾曲形成された下縦板部２１と、該下縦板部２１の上端から下歯列４２の上端面に沿う上端面部位２５１を経て舌６の下面に沿う舌下面部位２５６に至るように曲面形状を成して内方へ延設された下横板部２５とを有し、前記上横板部１５は、前記下端面部位１５１の中で非前歯の下端面に沿う部位である非前歯下端面部位１５１ｂと前記硬口蓋部位１５３との間に、上方へ窪む筋状の上凹部１５４ａと該筋状の上凹部１５４ａに沿って形成された下方へ突出する筋状の上凸部１５４ｂを有し、前記下横板部２５は、前記上端面部位２５１の中で非前歯の上端面に沿う部位である非前歯上端面部位２５１ｂと前記舌下面部位２５６との間に、下方へ窪む筋状の下凹部２５４ｂと該筋状の下凹部２５４ｂに沿って形成された上方へ突出する筋状の下凸部２５４ｃを有し、前記上装着体１と下装着体２は、前記上凹部１５４ａと前記非前歯上端面部位２５１ｂが当接されるとともに前記上凸部１５４ｂと前記下凹部２５４ｂが当接されることにより幅方向で位置決めされることを特徴とする口腔内装着具であるため、遺体への装着時の位置決めが容易であり、遺体の容貌を保つことができ、火葬後に異物を残したり有害ガスを発生したりすることのない装着具を提供することができる。
【００１２】
構成２は、構成１に於いて、前記上装着体１と下装着体２は、前記下縦板部２１の上端縁２１０が、前記下端面部位１５１の中で前歯の下端面に沿う部位である前歯下端面部位１５１ａにより係止されることにより、前後方向で位置決めされることを特徴とする口腔内装着具であるため、遺体への装着時の位置決めが構成１よりも更に容易である。
構成３は、構成１又は２に於いて、前記上縦板部１１の前部外面は上前歯の外面形状に沿う凹凸を有し、前記下縦板部２１の前部外面は下前歯の外面形状に沿う凹凸を有することを特徴とする口腔内装着具であるため、遺体の口が若干開いた場合でも、遺体の容貌を過度に損なうことがない。
【図面の簡単な説明】
【００１３】
【図１】上装着体１と下装着体２を組み合わせた状態を示し、（ａ）は（ｄ）内Ａ−Ａ線断面図、（ｂ）は（ｃ）内Ｂ−Ｂ線端面図、（ｃ）は上面図、（ｄ）は正面図、（ｅ）は斜め上から見た斜視図、（ｆ）は右側面図である。
【図２】上装着体１を示し、（ａ）は左側面図、（ｂ）は正面図、（ｃ）は上面図、（ｄ）は（ｃ）内Ｄ−Ｄ線端面図、（ｅ）は（ｂ）内Ｅ−Ｅ線断面図、（ｆ）は斜め下から見た斜視図である。
【図３】下装着体２を示し、（ａ）は（ｄ）内Ａ−Ａ線断面図、（ｂ）は（ｃ）内Ｂ−Ｂ線端面図、（ｃ）は上面図、（ｄ）は正面図、（ｅ）は斜め上から見た斜視図、（ｆ）は右側面図である。
【図４】口腔内を図解する説明図である。
【発明を実施するための形態】
【００１４】
図面を参照して、本発明の実施の形態を説明する。
図示の口腔内装着具は、遺体の口腔内に装着することにより、火葬までの間、遺体の容貌を生前の如くに保つための器具であり、パルプモールド製の上装着体１と、同じくパルプモールド製の下装着体２から成る。即ち、古紙等を水に溶解して成るパルプ溶液を、それぞれ上装着体１や下装着体２に対応する所定の型で抄き上げ、乾燥させた後、プレスして得た上装着体１と下装着体２から成る。なお、口腔内に装着して火葬までの間、強度を保持する必要があるため、撥水剤及び紙力剤等を、適宜、パルプ溶液に添加しておいてもよい。
【００１５】
前記上装着体１は、上縦板部１１と、上横板部１５と、から成る。
ここで、上縦板部１１は、遺体への装着状態に於いて上歯列４１及びその根元の上歯肉５１の外面を覆い得るように、前部（前歯及びその根元の歯肉に対応する部位）から、両奥部（奥歯及びそれらの根元の歯肉に対応する部位）へ向けて、湾曲形成されている。なお、上縦板部１１の高さは、装着時の容易さを考慮して、奥側ほど低くなるように設定されている。
【００１６】
また、上横板部１５は、上縦板部１１の下端から上歯列４１の下端面に沿う下端面部位１５１を経て硬口蓋３ａに沿う硬口蓋部位１５３に至るように、曲面形状で、内方（湾曲する上縦板部１１の内側方向）へ延設されている。なお、上横板部１５の奥行きは、装着時の容易さを考慮して、軟口蓋までは至らない程度に抑えられている。
【００１７】
前記下装着体２は、下縦板部２１と、下横板部２５と、から成る。
ここで、下縦板部２１は、遺体への装着状態に於いて下歯列４２及びその根元の下歯肉５２の外面を覆い得るように、前部（前歯及びその根元の歯肉に対応する部位）から、両奥部（奥歯及びそれらの根元の歯肉に対応する部位）へ向けて、湾曲形成されている。なお、下縦板部２１の高さもまた、上縦板部１１と同様に、装着時の容易さを考慮して、奥側ほど低くなるように設定されている。
【００１８】
また、下横板部２５は、下縦板部２１の上端から下歯列４２の上端面に沿う上端面部位２５１を経て舌６の下面に沿う舌下面部位２５６に至るように、曲面形状で、内方（湾曲する下縦板部２１の内側方向）へ延設されている。なお、下横板部２５の奥行きは、装着を可能とするために、適宜に短縮されている。言い換えれば、下横板部２５の奥行き側の先端部が、舌６の付け根に当接しない程度の長さに設定されている。
【００１９】
前記上装着体１の上横板部１５は、上縦板部１１の下端に連なる下端面部位１５１の中で、非前歯（奥歯及び奥歯寄りの歯）の下端面に沿う部位である非前歯下端面部位１５１ｂと、硬口蓋３ａに沿う部位である硬口蓋部位１５３との間に、上方（直立人体基準での上方）へ窪む筋状の上凹部１５４ａと、該筋状の上凹部１５４ａに沿ってその内側に形成された下方へ突出する筋状の上凸部１５４ｂとを有する。言い換えれば、上横板部１５は、奥歯及び奥歯寄りの歯の下端面を覆う部位に沿う内側に上凹部１５４ａを有し、該上凹部１５４ａに沿う更に内側に上凸部１５４ｂを有し、その内側に硬口蓋部位１５３が連なる。
【００２０】
一方、前記下装着体２の下横板部２５は、下縦板部２１の上端に連なる上端面部位２５１の中で、非前歯（奥歯及び奥歯寄りの歯）の上端面に沿う部位である非前歯上端面部位２５１ｂと、舌６の下面に沿う部位である舌下面部位２５６との間に、下方（直立人体基準での下方）へ窪む筋状の下凹部２５４ｂと、該筋状の下凹部２５４ｂに沿ってその内側に形成された上方へ突出する筋状の下凸部２５４ｃとを有する。言い換えれば、下横板部２５は、奥歯及び奥歯寄りの歯の上端面を覆う部位に沿う内側に下凹部２５４ｂを有し、該下凹部２５４ｂに沿う更に内側に下凸部２５４ｃを有し、その内側に舌下面部位２５６が連なる。
【００２１】
このように構成されている上装着体１と下装着体２は、上装着体１の上凹部１５４ａと下装着体２の非前歯上端面部位２５１ｂが当接されるとともに、上装着体１の上凸部１５４ｂと下装着体２の下凹部２５４ｂが当接されることにより、図１（ｂ）に示すように幅方向での変移を規制されて位置決めされる。このため、遺体への装着時に、上装着体１と下装着体２とがずれることを防止でき、装着が容易となる。
【００２２】
また、前後方向では、下装着体２の下縦板部２１の上端縁２１０が、上装着体１の上縦板部１１の下端に連なる下端面部位１５１の中で前歯の下端面に沿う部位である前歯下端面部位１５１ａにより係止されることにより位置決めされるため、さらに、遺体への装着が容易となる。
【００２３】
また、上装着体１の上縦板部１１の下部外面と、下装着体２の下縦板部２１の上部外面には、それぞれ、上の前歯や下の前歯に類似した凹凸が形成されており、且つ、上装着体１と下装着体２とが白いパルプモールドで形成されているため、遺体の口が若干開いてしまった場合でも、会葬者に違和感を与えることを防止できる。
【００２４】
遺体への装着を説明する。
上装着体１を、上前歯４１が残っている場合は上前歯４１とその根元の上の歯肉５１とに嵌合し、上前歯４１が残っていない場合は歯肉５１に嵌合する。嵌合した後は、口腔内の水分によって上装着体１が口腔内に保持される。
同様に、下装着体２を、下前歯４２が残っている場合は下前歯４２とその根元の下の歯肉５２とに嵌合し、下前歯４２が残っていない場合は歯肉５２に嵌合する。このとき、図１（ｂ）に示すように、上装着体１の上凹部１５４ａに下装着体２の非前歯上端面部位２５１ｂを案内させ、上装着体１の上凸部１５４ｂに下装着体２の下凸部２５４ｃを案内させることにより、位置決めが容易となる。嵌合した後は、口腔内の水分によって下装着体２が口腔内に保持される。
装着順は、上装着体１と下装着体２が逆順であってもよい。
【符号の説明】
【００２５】
１  上装着体
１１  上縦板部
１５  上横板部
１５１  下端面部位
１５１ａ  前歯下端面部位
１５１ｂ  非前歯下端面部位
１５３  硬口蓋部位
１５４ａ  上凹部
１５４ｂ  上凸部
２  下装着体
２１  下縦板部
２５  下横板部
２５１  上端面部位
２５１ｂ  非前歯上端面部位
２５６  舌下面部位
２５４ｂ  下凹部
２５４ｃ  下凸部
３ａ  硬口蓋
３ｂ  軟口蓋
４１  上歯列
４２  下歯列
５１  上歯肉
５２  下歯肉
６  舌
【図１】
2011056109.tif 000003
【図２】
2011056109.tif 000004
【図３】
2011056109.tif 000005
【図４】
2011056109.tif 000006